(57)【要約】【課題】手が放せない看護業務に従事中の看護師に対しては、携帯端末の呼び出しを一時中止または呼び出しの優先順位を下げて従事中の看護業務を継続可能とし、看護業務の集中処理による効率化を達成することのできるナースコールシステムを提供する。【解決手段】非接触ＩＣカードを看護師が病室に入室時及び退室時に看護師識別番号及び入室と退室の区別を含めて読み取り、病室内に居る看護師が所持する携帯端末への呼び出しが行われない手段を備える。【選択図】図１
2007268020.tif 000002
【特許請求の範囲】
【請求項１】
通話機能を有する複数のナースコール子機と、前記複数のナースコール子機が接続されたナースコール親機と、前記ナースコール親機とコードレス主装置及び無線基地局を介して接続し前記複数のナースコール子機及び前記ナースコール親機と通話できる複数の携帯端末とから構成されるナースコールシステムであって、
看護師の識別番号が記録されている無線ＩＣタグを身につけている看護師が病室内に入室していることを病室の出入り口近傍に設置された無線ＩＣタグ読み取り装置で検出し、検出した情報を病室の出入り口近傍に設置された廊下灯を経由して前記ナースコール親機へ送信する手段を備え、前記ナースコール親機は前記複数のナースコール子機からナースコール呼び出しが発生した場合、病室内に入室していると検出された看護師が所持する前記携帯端末に対して通話呼び出しを禁止することを特徴とするナースコールシステム。
【請求項２】
通話機能を有する複数のナースコール子機と、前記複数のナースコール子機が接続されたナースコール親機と、前記ナースコール親機とコードレス主装置及び無線基地局を介して接続し前記複数のナースコール子機及び前記ナースコール親機と通話できる複数の携帯端末とから構成されるナースコールシステムであって、
看護師が病室に入室及び退室する際に病室の出入り口近傍に設置された廊下灯において看護師の識別番号が記録されている看護師識別カードの読み込みまたは識別番号の入力または指紋や虹彩や静脈などの生体情報の読み込みのいずれか１つの手段で入室情報及び退室情報を入力し、前記廊下灯は前記ナースコール親機へ入室情報及び退室情報を送信する手段を備え、前記ナースコール親機は前記複数のナースコール子機からナースコール呼び出しが発生した場合、病室内に入室していると検出された看護師が所持する前記携帯端末に対して通話呼び出しを禁止することを特徴とするナースコールシステム。
【請求項３】
無線ＩＣタグを身につけている看護師が病室内に入室した後に前記携帯端末を操作して通話許可情報を前記無線基地局及び前記コードレス主装置を経由して前記ナースコール親機へ送信する手段を備え、前記ナースコール親機は前記複数のナースコール子機からナースコール呼び出しが発生した場合、病室内に入室していると検出された看護師が所持する前記携帯端末に対して通話許可情報を送信した前記携帯端末は通話呼び出しの禁止を解除して呼び出しを行い、通話許可情報を送信していない前記携帯端末は通話呼び出しを禁止することを特徴とする請求項１記載のナースコールシステム。
【請求項４】
通話機能を有する複数のナースコール子機と、前記複数のナースコール子機が接続されたナースコール親機と、前記ナースコール親機とコードレス主装置及び無線基地局を介して接続し前記複数のナースコール子機及び前記ナースコール親機と通話できる複数の携帯端末とから構成されるナースコールシステムであって、
前記ナースコール親機の記憶部には患者ごとに予め設定された受け持ち看護担当チームと看護担当チームに割り当てられた看護師とナースコール呼び出しが発生した際に看護担当チーム内で、及び担当とは異なるチームで前記携帯端末の呼び出し優先順位を示す管理テーブルが保存され、ナースコール呼び出しがあると管理テーブルに従った優先順位で前記携帯端末を呼び出すシステムにおいて、
看護師の識別番号が記録されている無線ＩＣタグを身につけている看護師が病室内に入室していることを病室の出入り口近傍に設置された無線ＩＣタグ読み取り装置で検出して廊下灯に送り、または看護師が病室に入室及び退室する際に病室の出入り口近傍に設置された前記廊下灯において看護師識別カードの読み込みまたは識別番号の入力または指紋や虹彩や静脈などの生体情報の読み込みのいずれか１つの手段で入室情報及び退室情報を入力し、前記廊下灯は前記ナースコール親機へ看護師の入室情報または退室情報を送り、前記ナースコール親機は、管理テーブルを前記記憶部から読み出して病室に入室中の看護師が所持する前記携帯端末の呼び出し優先順位を同一看護担当チームの最下位置に配置して、または呼び出しを禁止にして前記記憶部に書き込み、看護師が病室から出た情報によって管理テーブルを前記記憶部から読み出して該当する看護師の所持する前記携帯端末の呼び出し優先順位を病室へ入室前の優先順位に戻す、または呼び出し禁止を解除して書き込みを行い、ナースコール呼び出しがあると管理テーブルに従った優先順位で前記携帯端末を呼び出すことを特徴とするナースコールシステム。
【請求項５】
看護師が病室内に居るか否かを請求項４記載の手段で判定した前記ナースコール親機は、看護師が病室内にいる時は該当する看護師が所持する前記携帯端末の呼び出しを禁止にするか、または前記携帯端末の呼び出し優先順位を同一看護担当チームの最下位置に配置するかのいずれにするかを勤務時間帯毎に設定する手段を前記ナースコール親機に備え、前記記憶部から管理テーブルを読み出して看護師が病室の入退室のたびに書き込みを行い、ナースコール呼び出しがあると管理テーブルに従った優先順位で前記携帯端末を呼び出すことを特徴とするナースコールシステム。
【請求項６】
通話機能を有する複数のナースコール子機と、前記複数のナースコール子機が接続されたナースコール親機と、前記ナースコール親機とコードレス主装置及び無線基地局を介して接続し前記複数のナースコール子機及び前記ナースコール親機と通話できる複数の携帯端末とから構成されるナースコールシステムであって、
前記ナースコール親機の記憶部には患者ごとに予め設定された受け持ち看護担当チームと看護担当チームに割り当てられた看護師とナースコール呼び出しが発生した際に看護担当チーム内で、及び担当とは異なるチームで前記携帯端末の呼び出し優先順位を示す管理テーブルが保存され、ナースコール呼び出しがあると管理テーブルに従った優先順位で前記携帯端末を呼び出すシステムにおいて、
前記ナースコール親機は前記記憶部から管理テーブルを読み出して呼び出しの応答を終了した前記携帯端末の呼び出し優先順位を同一看護担当チームの最下位置に配置し、呼び出しに応答しない他の前記携帯端末の呼び出し優先順位を同一看護担当チーム内で順次繰り上げる書き込みを行うことを特徴とするナースコールシステム。
【発明の詳細な説明】
【技術分野】
【０００１】
本発明は、病院や福祉介護施設で使用されるナースコールシステムに関する。
【背景技術】
【０００２】
周知の様に、病院や福祉介護施設では主に看護師（福祉介護施設では介護士など）と患者が通話する為のナースコールシステムが設置されている。このナースコールシステムでは、患者が呼び出しに使用するナースコール子機が各ベッドに備えられ、ナースステーションにはナースコール親機が設置されていて、その間で通話できるようになっている。（特許文献１を参照）近年、ナースコール親機にコードレス主装置及び無線基地局を介して連動するＰＨＳ（Ｐｅｒｓｏｎａｌ  ＨａｎｄｙＰｈｏｎｅ  Ｓｙｓｔｅｍ）型の携帯端末を看護師等が持ち、患者が持つナースコール子機との間で呼び出し・通話を行うシステムが採用されることが多い。（特許文献２を参照）
【０００３】
携帯端末を採用したシステムでは、一人の患者からのナースコール呼び出しで複数の携帯端末を同時または所定の時間を置いて順次呼び出し音を鳴らし、最初に応答した看護師が患者と通話できる様に設計されている。  また、患者の看護業務に担当チームを組んでチームナーシングという看護方式を採用している病院では、患者からのナースコール呼び出しに対して担当するチームごとに携帯端末を同時または所定の時間を置いて呼び出している。この場合、呼び出しを行った患者を担当するチームを優先的に呼び出し、担当チームで所定時間経過しても応答が無い場合には予め設定されたチームを順次またはチームに所属しない携帯端末を呼び出す等の設定が成されている。（特許文献３を参照）
【０００４】
看護師は、ナースコール呼び出しがあった場合には即時応答が要求されるので、呼び出しがあるとチームに属する誰かがすぐに応答する。チーム内において携帯端末の呼び出し順位が割り付けられている場合は、所定の時間を置いて順次呼び出し音が鳴るように設定されている。
【特許文献１】特許第２８８７５５２号公報
【特許文献２】特開平１１−２９０４０１号公報
【特許文献３】特開２０００−２２４３２０号公報
【発明の開示】
【発明が解決しようとする課題】
【０００５】
特許文献２及び特許文献３に記載された発明は、いずれにおいても呼び出しが発生した時に看護師が患者の看護で手が放せない業務に従事中であろうがなかろうが、機械的に定められた呼び出し順序に従って呼び出しが発生することになり、携帯端末が鳴れば従事中の看護業務を中断して応答するか、呼び出しを無視して看護業務を継続するしかない。
【０００６】
本発明は、手が放せない看護業務に従事中の看護師に対しては、携帯端末の呼び出しを一時中止または呼び出しの優先順位を下げて従事中の看護業務を継続可能とし、看護業務の集中処理による効率化と看護師の負担の均一化を達成することのできるナースコールシステムを提供することを課題とする。
【課題を解決するための手段】
【０００７】
病室の出入り口近傍に無線ＩＣタグ読み取り装置を設け、看護師が身につけている無線ＩＣタグまたは無線ＩＣタグが組み込まれている非接触ＩＣカードを看護師が病室に入室時及び退室時に看護師識別番号及び入室と退室の区別を含めて読み取り、病室の出入り口近傍に設置された廊下灯に読み取った情報を送る手段を備える。（これを手段１とする）
【０００８】
看護師が病室に入室及び退出する際に病室の出入り口近傍に設置された廊下灯において看護師の識別番号が記録されている看護師識別カードの読み込みまたは識別番号の入力または指紋や虹彩や静脈などの生体情報の読み込みのいずれか１つの手段で入室情報及び退室情報を入力する手段を備える。（これを手段２とする）
【０００９】
廊下灯は、上記の手段１または手段２のいずれかの手段で入力された看護師の入室情報及び退室情報をナースコール親機へ送信する手段を備える。ナースコール親機は、看護師の入室情報及び退室情報を記憶部へ保存し、患者からナースコール呼び出しがあった場合、記憶部から読み出して病室内に居る看護師が所持する携帯端末への呼び出しが行われない手段を備える。
【００１０】
上記の手段１に拠って看護師が病室内に入室した後に携帯端末を操作して通話許可情報を入力し、無線基地局及びコードレス主装置を経由してナースコール親機へ送信する手段を備え、ナースコール親機は記憶部から看護師の入室情報を読み出して呼び出し禁止を解除する手段を備える。ナースコール子機からナースコール呼び出しが発生した場合、看護師が病室に入室していても呼び出し禁止を解除された携帯端末に対してナースコール親機は呼び出しを行う。
【００１１】
チームナーシングするナースコールシステムでは、ナースコール親機の記憶部には患者ごとに予め設定された受け持ち看護担当チームと看護担当チームに割り当てられた看護師とナースコール呼び出しが発生した際に看護担当チーム内で、及び担当とは異なるチームで携帯端末の呼び出し優先順位を示す管理テーブルが保存され、ナースコール呼び出しがあると管理テーブルに従った優先順位で携帯端末を呼び出す手段を備える。
【００１２】
上記の手段１または手段２のいずれかの手段で入力された看護師の入室情報及び退室情報を基に
ナースコール親機は、入室情報を受け取ると管理テーブルを記憶部から読み出して病室に入室中の看護師が所持する携帯端末の呼び出し優先順位を同一看護担当チームの最下位置に配置して、または呼び出しを禁止して記憶部に書き込み、看護師が病室から出た退室情報を受け取ると管理テーブルを記憶部から読み出して該当する看護師の所持する携帯端末の呼び出し優先順位を病室へ入室前の優先順位に戻す、または呼び出し禁止を解除する書き込みを行う手段を備える。
【００１３】
上記の手段１または手段２のいずれかの手段で入力された看護師の入室情報及び退室情報を基に看護師が病室内に居るか否かを判定したナースコール親機は、看護師が病室内にいる時は該当する看護師が所持する携帯端末の呼び出しを禁止にするか、または呼び出し優先順位を同一看護担当チームの最下位置に配置するかのいずれにするかを勤務時間帯毎に設定する手段をナースコール親機の操作・表示部に備え、操作・表示部で設定した条件を記憶部に保存し、病室の入室情報及び退室情報を受け取るたびに記憶部から管理テーブルを読み出して設定に従って書き込みを行う手段を備える。
【００１４】
携帯端末が呼び出しの応答を終了すると、ナースコール親機は記憶部から管理テーブルを読み出して応答を終了した携帯端末の呼び出し優先順位を同一看護担当チームの最下位置に配置し、呼び出しに応答しない他の携帯端末の呼び出し優先順位を同一看護担当チーム内で順次繰り上げる書き込みを行う手段を備える。
【発明の効果】
【００１５】
本発明は、病室内で手が放せない看護業務に従事中の看護師に対しては、携帯端末の呼び出しを一時中止または呼び出しの優先順位を下げることに拠り、従事中の看護業務を継続可能とし、看護業務が中断することによる医療ミスを防止すると共に看護業務の集中処理による効率化が図れる。また、ナースコールに応じた看護師は次回呼び出しの優先順位を下げてローテーションすることに拠り看護師の作業負担の均一化を達成することができる。
【発明を実施するための最良の形態】
【００１６】
以下、本発明の一実施形態を図面に基づいて説明する。図１は、無線ＩＣタグ読み取り装置（３）を廊下灯（２）に接続したナースコールシステムの全体構成図を示す。ナースコール親機（１）は、ナースコール専用通信線（２３）を介して廊下灯（２）と接続している。廊下灯（２）は、病室内の壁取り付け子機（４）を介して各ベッドに備えられているナースコール子機（５）及び病室の出入り口近傍に設置される無線ＩＣタグ読み取り装置（３）が接続される。ナースコール親機（１）には、コードレス主装置（７）と無線基地局（８）を介して看護師等が所持している携帯端末（９）が接続され、ナースコール子機（５）やナースコール親機（１）と通話できる様になっている。
【００１７】
次にナースコールシステムの呼び出し操作について説明する。まず、患者がナースコール子機（５）の呼び出しボタンを押すと呼び出し信号が廊下灯（２）へ送信され、廊下灯（２）ではその病室の代表灯及び患者個別の表示灯が点滅または点灯する。さらに、呼び出し信号は廊下灯（２）からナースコール親機（１）へ送信され、ナースコール親機（１）では操作・表示部に呼び出しを行った患者の氏名や室番号・ベッド番号などが表示されると共に呼出音発生部から呼び出し音が鳴動し、看護師に報知する。また、呼び出し信号はナースコール親機（１）からコードレス主装置（７）と無線基地局（８）を介して看護師等が所持している携帯端末（９）へ送信され、携帯端末（９）で呼び出し音が鳴動する。
【００１８】
ナースコール親機（１）または複数の携帯端末（９）の内、呼び出しに応答した一番早い機器がナースコール子機（５）との間で通話路が形成されて通話できる。他の機器は、呼び出し音が停止して通話することができない。
【００１９】
携帯端末（９）は台数が少ない場合は一斉に呼び出されたり、チームナーシングを採用している病院では、呼び出しを行った患者を担当しているチームのみが呼び出されたり、患者毎に呼び出すチームの順番を予め設定しておき、一定の遅延時間を置いて設定に従って順次呼び出されたりする。同一のチーム内においても、携帯端末（９）が一斉に呼び出されたり、予め設定された順番で一定の遅延時間を置いて順次呼び出されたりする。この呼び出しを制御するのはナースコール親機（１）で行う。
【００２０】
次に看護師が病室内に居るか否かを検出する手段を説明する。病室の出入り口近傍に設置される無線ＩＣタグ読み取り装置（３）は、無線ＩＣタグ（６）を身につけた看護師が病室に入退室する時に無線ＩＣタグ（６）に記録されている看護師識別番号を読み取る。無線ＩＣタグ（６）は、無線ＩＣタグ読み取り装置（３）の電波で起動して情報を送る方式で、必ずしも看護師が無線ＩＣタグ読み取り装置（３）に無線ＩＣタグ（６）を近づけなくても読める方式が望ましいが、近づけるカード式でも構わない。
【００２１】
無線ＩＣタグ読み取り装置（３）と無線ＩＣタグ（６）を採用しない場合は、廊下灯（２）に看護師の識別と入室・退室を入力できる手段を設ける。廊下灯（２）の操作部またはタッチパネル式の表示部を利用して、看護師識別番号と入室・退室の区別を手入力する方法や、看護師識別番号が記録されているカード（バーコード式、磁気式、ＩＣチップ内蔵式など）を読み込ませる方法がある。
【００２２】
廊下灯（２）は、無線ＩＣタグ読み取り装置（３）から送信された、または直接入力された看護師の入室・退室情報をナースコール専用通信線（２３）を介してナースコール親機（１）へ送信する。看護師の入室・退室情報を受けたナースコール親機（１）は、その情報を記憶部に書き込む。
【００２３】
図２は、ナースコール親機（１）の内部構成図を示す。制御処理部（１０）は、記憶部（１１）から各種プログラム（１８）を読み出してプログラムに従った動作を実行していく蓄積型プログラム制御方式で、マイクロコンピュータなどで構成する。記憶部（１１）には、その他に患者情報（１９）、看護師の勤務管理表（２０）、携帯端末の管理テーブル（２１）、各種情報（２２）などナースコール親機（１）が動作するのに必要なプログラムや情報が保存される。
【００２４】
ナースコール子機（５）からの呼び出しは、廊下灯（２）を経由して子機接続部（１２）へ送信される。制御処理部（１０）は、子機接続部（１２）からの呼び出し信号を受けると、操作・表示部（１３）及び呼出表示・選局部（１７）にその情報を表示すると共に、呼出音発生部（１５）から呼び出し音を発する。報知を受けた看護師が通話部（１４）や操作・表示部（１３）や呼出表示・選局部（１７）を利用して呼び出しに応答すると、それを受けた制御処理部（１０）は、子機接続部（１２）を通して廊下灯（２）と通信を行い、ナースコール子機（５）との間で通話路を形成して通話できる様にする。
【００２５】
また、制御処理部（１０）は記憶部（１１）から携帯端末の管理テーブル（２１）を読み出して、管理テーブルに記述されている情報を基にコードレス主装置接続部（１６）から携帯端末（９）の呼び出し情報をコードレス主装置（７）へ送信する。コードレス主装置（７）から無線基地局（８）を経由して呼び出しを受けた携帯端末（９）は、呼び出し音を鳴らして看護師に呼び出しを知らせる。    看護師が携帯端末（９）で一番早く呼び出しに応答すれば、携帯端末（９）とナースコール子機（５）との間で通話路を形成して通話できる。
【００２６】
記憶部（１１）に保存されている患者情報（１９）と勤務管理表（２０）と携帯端末の管理テーブル（２１）は相互に関連している。患者情報（１９）には患者の個人情報や担当する看護師や医師が記録されている。勤務管理表（２０）には、勤務時間帯ごとに担当する看護師や看護担当チームが記録されている。携帯端末の管理テーブル（２１）は、患者毎に勤務時間帯別に担当する看護師、担当チーム、チーム内の担当看護師、携帯端末番号とそれを携帯する看護師、看護師が病室内に居るか否か、携帯端末の呼び出しが有効か否か、携帯端末の呼び出し順位などが記録されている。
【００２７】
患者情報、勤務管理表、携帯端末の管理テーブルは、操作・表示部（１３）での操作や図２では図示していないが外部の院内ＬＡＮ（ローカル・エリア・ネットワーク）から受信する情報などで新たな情報を受け取る度に書き換えられる。管理テーブルは、看護師が病室に入室及び退室した情報を子機接続部（１２）から受け取る度にも書き換えられる。
【００２８】
次に携帯端末の管理テーブルについて説明する。図３に管理テーブルの一部分の一例を示す。１列目は患者、２列目は看護を担当するチーム、３列目は担当する看護師、４列目は看護師が携帯する携帯端末の番号、５列目は担当チーム内での呼び出し順位、６列目は看護師が病室内に入室中か否かを示す、７列目は呼び出しを禁止するか否かを示す。
【００２９】
１列目の患者情報は、氏名でも患者識別番号でも室番号・ベッド番号でも患者を識別できる情報であればよい。２列目の担当チームは、図３では複数のチームを示しているが、１チーム（つまりチーム分けしていない）でも構わない。３列目の担当者は、仮にＡ１、Ａ２・・・などと示しているが、看護師氏名でも、看護師識別番号でもその他の看護師を識別できる情報であってもよい。
【００３０】
６列目の病室内に入室中を示す項は、「０」で入室していないことを示し、「１」で入室中を示す。７列目の呼出禁止は、「０」で禁止していない状態、「１」で禁止中を示す。
【００３１】
図３の管理テーブルの状態で患者１２３から呼び出しが発生した場合、決められた遅延時間の順序で携帯端末が呼び出される順位は２０１→２０２→２０３→２０４となる。患者１２３に対する呼び出しをＡチームだけしか定義されていない場合は、時間が経過してもＡチームを呼び出して終了し応答を待つことになる。しかし、Ａチームの後にＣチームとさらにＢチームが設定されていると、２０４を呼び出した後にＣチームの３０２→３０３→３０１→Ｂチームの２１２→２１３→２１１の順序で呼び出しが実行されていく。これらの制御は、ナースコール親機（１）が記憶部（１１）から携帯端末の管理テーブル（２１）を読み出して、管理テーブルに従って決められた遅延時間の順序で呼び出し情報をコードレス主装置（７）へ送信することで実行される。
【００３２】
図４は、看護師Ａ２が病室に入室した情報を廊下灯からナースコール親機が受け取った時に病室に入室中は呼び出しを禁止する設定が行われている場合に図３の管理テーブルが書き換えられたことを示す。（矢印２４と矢印２５の行）この状態の時に患者１２３から呼び出しがあると、看護師はＡ１→Ａ３→Ａ４の順番で呼び出され、看護師Ａ２は呼び出されない。看護師Ａ２が病室から出た情報を受けると、図４の管理テーブルは図３のテーブルに戻される。
【００３３】
図５は、看護師Ａ２が病室に入室した後、携帯端末を利用して通話許可情報を入力し、無線基地局（８）及びコードレス主装置（７）を経由してナースコール親機（１）へ通話許可情報を送信した場合に図４の管理テーブルが書き換えられたことを示す。（矢印２６の行）従って、患者１２３から呼び出しが発生した時に看護師Ａ２は、２番目に呼び出しを受けることになる。病室内に居ても手が放せない看護業務を実施していない場合は、前述の様に患者からの呼び出しを許可する操作が可能である。
【００３４】
図６は、看護師が病室に入室中でも呼び出しの禁止は行わず呼び出し順位を担当チーム内の最下位にする設定が選択されている場合に、看護師Ａ２が病室内に居る状態を示す管理テーブルである。（矢印２７、２８の行）患者４５６が呼び出したときは、看護師はＡ３→Ａ１→Ａ２の順番で呼び出しが実施される。呼び出しを禁止にするか、呼び出し順位を下げるかの選択は、ナースコール親機（１）の操作・表示部（１３）で実施できる手段を設ける。看護師Ａ２が病室から出た情報を受けると、図６の管理テーブルは図３のテーブルに戻される。
【００３５】
図７は、勤務時間帯が日勤の場合の管理テーブル例を示す。図８は、勤務時間帯が準夜勤の場合の管理テーブル例を示す。図９は、勤務時間帯が夜勤の場合の管理テーブル例を示す。勤務時間帯によって患者を担当するチームも担当看護師も変化し、日勤帯は大勢の看護師が居ても準夜勤や夜勤はチーム数も看護師も少なくなることが一般的である。看護師が病室内に居るときに日勤帯では呼び出し禁止にすることができても、人数が少ない準夜勤や夜勤には呼び出しを禁止することができない場合がある。このような場合にはナースコール親機（１）の操作・表示部（１３）で勤務帯ごとに呼び出しを禁止にするか、呼び出し順位を下げるかの選択をする手段を設けることで勤務時間ごとの設定が可能となる。
【００３６】
勤務帯の切り替えは、ナースコール親機（１）の制御処理部（１０）にある時計部の時刻に従って、制御処理部（１０）の制御で切り替え、管理テーブルも勤務帯に応じて自動的に切り替える。
【００３７】
呼び出しに対してどの携帯端末が応答したかの情報は、携帯端末（９）から無線基地局（８）とコードレス主装置（７）を経由してナースコール親機（１）にもたらされるので、通話が終了した時点でナースコール親機（１）の制御処理部（１０）は、記憶部（１１）から管理テーブル（２１）を読み出し、応答した携帯端末の呼び出しの順位を同一チームの最下位に下げ、応答しなかった他の携帯端末の呼び出し順位を順次繰り上げる書き込みを行う。この制御を行うことで、呼び出しに対する看護師の応答の負担を平均化することができる。
【図面の簡単な説明】
【００３８】
【図１】ナースコールシステムの全体構成
【図２】ナースコール親機の内部構成
【図３】携帯端末の管理テーブル例
【図４】看護師が病室入室中の時の管理テーブル
【図５】看護師が病室入室中で呼び出し禁止を解除した時の管理テーブル
【図６】看護師が病室入室中で呼び出し順位を下げた時の管理テーブル
【図７】日勤帯の管理テーブル
【図８】準夜勤帯の管理テーブル
【図９】夜勤帯の管理テーブル
【符号の説明】
【００３９】
１    ナースコール親機
２    廊下灯
３    無線ＩＣタグ読み取り装置
４    壁取り付け子機
５    ナースコール子機
６    無線ＩＣタグ
７    コードレス主装置
８    無線基地局
９    携帯端末（ＰＨＳ型）
１０    制御処理部
１１    記憶部
１２    子機接続部
１３    操作・表示部
１４    通話部
１５    呼出音発生部
１６    コードレス主装置接続部
１７    呼出表示・選局部
１８    各種プログラム（記憶部内）
１９    患者情報（記憶部内）
２０    勤務管理表（記憶部内）
２１    携帯端末  管理テーブル（記憶部内）
２２    各種情報（記憶部内）
２３    ナースコール専用通信線
【図１】
2007268020.tif 000003
【図２】
2007268020.tif 000004
【図３】
2007268020.tif 000005
【図４】
2007268020.tif 000006
【図５】
2007268020.tif 000007
【図６】
2007268020.tif 000008
【図７】
2007268020.tif 000009
【図８】
2007268020.tif 000010
【図９】
2007268020.tif 000011